(57)【要約】【課題】左右両側壁前部の固定ローラー間寸法と引き出しドアに取り付けた左右のフレームのリブ間寸法で、引き出しドアの開閉動作を規制する構成である為、ガタツキを持った構成であり、引き出しドアの開閉動作でガタツキ大であったり、横壁を擦ったりスムースな動きでないという課題があった。【解決手段】断熱箱体３０の前部に固定ローラー３３を配置し、引き出しドア３４の左右に取り付けたフレーム３６・３７には、容器載置部３９と連結部４０と固定ローラー転動部４１とその端には折り曲げ部４２を形成し固定ローラー３３の転動をガイドしている。一方のフレーム３６の固定ローラー転動部４１に、固定ローラー３３の幅と係合する様に係合部４４を形成している。これにより、常温でも冷却運転時でも、引き出しドアの動作経路は変わらず、一定の動作とする事ができる。【選択図】図１
2006242530.tif 000002
【特許請求の範囲】
【請求項１】
前面を開口し左右両側壁に断面略コ字状のレールとレール前部に設けた固定ローラーを有する断熱箱体と、この開口部を閉塞するように設けた引き出しドアと、この引き出しドアの裏面左右に一端を固定し他端に可動ローラーを設けたフレームと、フレーム上に載置した容器から成り、引き出しドア左右のフレームは容器載置部と固定ローラー転動部とこの容器載置部と固定ローラー転動部を連結する連結部を夫々有すると共に、一方のフレームの固定ローラー転動部に固定ローラーのローラー幅と係合する係合部を前後方向に設けたことを特徴とする冷蔵庫。
【請求項２】
フレームの固定ローラー転動部に設けた係合部の断面は、下向きコ字であり、先端開口部の幅＞係合部の幅としたことを特徴とする請求項１記載の冷蔵庫。
【請求項３】
前面を開口し左右両側壁に断面略コ字状のレールとレール前部に設けた固定ローラーを有する断熱箱体と、この開口部を閉塞するように設けた引き出しドアと、引き出しドアに固定した容器から成り、容器の両側面に可動ローラーと固定ローラー転動部を有し、一方の固定ローラー転動部に固定ローラーのローラー幅と係合する係合部を設けたことを特徴とする冷蔵庫。
【発明の詳細な説明】
【技術分野】
【０００１】
本発明は、引き出しドアを有する冷蔵庫に関するものである。
【背景技術】
【０００２】
近年、引き出しドアを有する冷蔵庫が主流となっている。（例えば、特許文献１参照）
図６、７は、特許文献1に記載された従来の冷蔵庫を示すものである。図に示すように、引き出しドア１は可動ローラー3を後部に配置したフレーム２を左右に有している。断熱箱体4には断面略コ字状のレール５とレール５前部に設けた固定ローラー６を有している。
【０００３】
断面略コ字状レール５の上下面の端にはリブＡ８・リブＢ９を設けてあり、フレーム２には固定ローラー６転動部７を設けている。
【特許文献１】特開平１１−０８３３０２号公報
【発明の開示】
【発明が解決しようとする課題】
【０００４】
しかしながら、上記従来の構成では、引き出しドアの開閉動作で操作性が悪いという課題を有していた。即ち、ドアの動きを規制しているローラー部、特に前部での規制が出来ていなかった。
【０００５】
詳細を説明すると、引き出しドア１の開閉動作で操作性の課題は２つある。１つは左右のガタツキ、２つ目は動作時の擦れである。後ろの可動ローラー３は、左右両側壁に取り付けた断面略コ字状レール５の上下面の端に設けたリブＡ８・リブＢ９とレール縦壁間で規制され、強いてはフレーム２の動きを規制出来ている。
【０００６】
次に、前部の固定ローラー６での開閉動作を規制する状態を述べる。
【０００７】
引き出しドア１のガタツキを誘発しているのは、左右両側壁に取り付けた固定ローラー６間寸法と引き出しドア１に取り付けた左右のフレーム２のリブ間寸法で出来るクリアランスである。しかし、冷却運転時、断熱材が冷やされて断熱材厚みが縮み、結果として左右の固定ローラー６間の寸法は広がる。この縮み代を見越して、引き出しドアに取り付けた左右のフレーム２のリブ間寸法は左右の固定ローラー６間の寸法より大きいクリアランスを持たせる事となり、引き出しドアの動作は、ガタツキを持たせた構成が必要となる。
【０００８】
また、このガタツキを持った状態でフレーム２が動くと、フレーム２のリブがレール庫内面と当たり、前後動作で擦れを生じ、引き出しドア１の開閉動作は重たくなる。
【０００９】
本発明は、上記従来の課題を解決するもので、引き出しドアの開閉動作において、前部の固定ローラー部でのガタツキを無くし、スムースな動きを可能とした冷蔵庫を提供することを目的とする。
【課題を解決するための手段】
【００１０】
上記従来の課題を解決するために、本発明の冷蔵庫は、引き出しドア左右のフレームは容器載置部と固定ローラー転動部とこの容器載置部と固定ローラー転動部を連結する連結部を夫々有すると共に、一方のフレームの固定ローラー転動部に固定ローラーのローラー幅と係合する係合部を前後方向に設けたことを特徴としたものである。
【００１１】
これにより、引き出しドアの開閉動作は、固定ローラーとフレームに設けた係合部の幅内でのみ、行うことが出来る。
【００１２】
また、フレームの固定ローラー転動部に設けた係合部の断面は、下向きコ字であり、先端開口部の幅＞係合部の幅としたことを特徴としたものである。
【００１３】
これにより、引き出しドアのフレームを固定ローラーにセットする動作が楽になる。
【００１４】
また、本発明の冷蔵庫は、引き出しドアに固定した容器の両側面に可動ローラーと固定ローラー転動部を有し、一方の固定ローラー転動部に固定ローラーのローラー幅と係合する係合部を設けたことを特徴としたものである。
【００１５】
これにより、引き出しドアの裏面に左右夫々のフレームを取り付ける事が無くなり、容器の幅寸法のみを管理すればよい事となる。
【発明の効果】
【００１６】
本発明の冷蔵庫は、引き出しドアの開閉動作において、前部の固定ローラー部でのガタツキを無くし、スムースな動きを可能とした冷蔵庫を提供することが出来る。
【発明を実施するための最良の形態】
【００１７】
請求項１に記載の発明は、前面を開口し左右両側壁に断面略コ字状のレールとレール前部に設けた固定ローラーを有する断熱箱体と、この開口部を閉塞するように設けた引き出しドアと、この引き出しドアの裏面左右に一端を固定し他端に可動ローラーを設けたフレームと、フレーム上に載置した容器から成り、引き出しドア左右のフレームは容器載置部と固定ローラー転動部とこの容器載置部と固定ローラー転動部を連結する連結部を夫々有すると共に、一方のフレームの固定ローラー転動部に固定ローラーのローラー幅と係合する係合部を前後方向に設けたことを特徴とする事で、引き出しドアの開閉動作はフレームに設けた固定ローラー幅と係合する係合部の幅内で行うことになり、引き出しドアの開閉動作において、ガタツキを考えなくてよい構造体とする事ができ、スムースな動きとすることができる。
【００１８】
請求項２に記載の発明は、フレームの固定ローラー転動部に設けた係合部の断面を、下向きコ字とし、先端開口部の幅＞係合部の幅としたことを特徴とする事で、引き出しドアのフレームを固定ローラーにセットする動作が楽に行える。
【００１９】
請求項３に記載の発明は、前面を開口し左右両側壁に断面略コ字状のレールとレール前部に設けた固定ローラーを有する断熱箱体と、この開口部を閉塞するように設けた引き出しドアと、引き出しドアに固定した容器から成り、容器の両側面に可動ローラーと固定ローラー転動部を有し、一方の固定ローラー転動部に固定ローラーのローラー幅と係合する係合部を設けたことを特徴とする事で、引き出しドアの裏面に左右夫々のフレームを取り付ける事が無くなり、容器の幅寸法のみを管理すればよい事となり、左右のローラー間寸法が安定する事が出来る。
【００２０】
以下、本発明の実施の形態について、図面を参照しながら説明する。なお、この実施の形態によってこの発明が限定されるものではない。
【００２１】
（実施の形態１）
図1は、本発明の実施の形態１における冷蔵庫の固定ローラー部での断面図を示すものである。図２は、本発明の実施の形態１における冷蔵庫の引き出しドアの斜視図を示すものである。図３は、本発明の実施の形態１における冷蔵庫の中央断面図を示すものである。
【００２２】
図において、前面を開口した断熱箱体３０の左右両側壁に断面略コ字状のレール３１・３２とレール３１・３２前部に設けた固定ローラー３３を配置している。引き出しドア３４の裏面には左右に一端を固定し他端に可動ローラー３５を設けたフレーム３６・３７を取り付けている。フレーム３６・３７上には容器３８を載置している。
【００２３】
引き出しドア３４左右のフレーム３６・３７は、鉄製材料で成形しており、容器載置部３９と連結部４０と固定ローラー転動部４１を夫々有している。固定ローラー転動部４１の端は折り曲げ部４２を形成し、固定ローラー３３の転動をガイドしている。その内、片方のフレーム３６の固定ローラー転動部４１に、固定ローラー３３の幅と係合する様に、折り曲げ部４２と折り返し部４３にて係合部４４を形成している。この為、係合部４４の断面は下向きコ字となるが、先端開口部の幅＞係合部の幅としている。
【００２４】
以上のように構成された冷蔵庫について、以下その動作を説明する。
【００２５】
固定ローラー部において、引き出しドアの開閉時、フレームは固定ローラーの幅と係合した係合部の幅内で動作する。このため、常温でも冷却運転時でも、引き出しドアの動作経路は固定ローラーとフレームに設けた係合部の幅内で動作し、一定の動作とする事ができる。また、フレームに固定ローラーと係合した係合部を設ける為、係合部へのセットがし難くなる懸念があるが、先端開口部の幅を広げる事でガイドする事が出来、セットする動作が楽になる。
【００２６】
（実施の形態２）
また、図４は、本発明の実施の形態２における冷蔵庫の固定ローラー部での断面図を示すものである。図５は、本発明の実施の形態２における冷蔵庫の引き出しドアの斜視図を示すものである。
【００２７】
図において、前面を開口し左右両側壁に断面略コ字状のレール３１・３２とレール前部に設けた固定ローラー３３を有する断熱箱体３０と、この開口部を閉塞するように設けた引き出しドア５０と、引き出しドア５０に固定した容器５１から成り、容器５１の両側面に可動ローラー３５と固定ローラー転動部５２・５３を有し、一方の固定ローラー転動部５２に固定ローラー３３のローラー幅と係合する様に、端部リブ５４と段付け部５５にて係合部５６を前後方向に設けている。容器５１は引き出しドア５０の裏面にビス５７留めされている。
【００２８】
以上のように構成された冷蔵庫について、以下その動作を説明する。
【００２９】
引き出しドアの開閉時は、固定ローラーの幅と容器に形成した係合部の幅内で動作する。このため、常温でも冷却運転時でも、引き出しドアの動作経路は変わらず、一定の動作とする事ができる。また、数個の発泡治具による為の同一場所でも同寸法にならずとも、引き出しドアの動作経路は変わらず、一定の動作とする事ができる。また、従来、左右夫々のフレームを取り付け時のバラツキを持っていたが、一体の容器にて左右のローラー間寸法を形成している為、寸法が安定し、更なるバラツキ要因を低減する事が出来る。
【産業上の利用可能性】
【００３０】
以上のように、本発明にかかる冷蔵庫は、固定ローラー間寸法のバラツキを気にせずに、引き出しドアの開閉動作をスムースな動きとすることができる構造体を提供することができる。
【図面の簡単な説明】
【００３１】
【図１】本発明の実施の形態１における冷蔵庫の固定ローラー部での断面図
【図２】本発明の実施の形態１における冷蔵庫の引き出しドアの斜視図
【図３】本発明の実施の形態１における冷蔵庫の中央断面図
【図４】本発明の実施の形態２における冷蔵庫の固定ローラー部での断面図
【図５】本発明の実施の形態２における冷蔵庫の引き出しドアの取り付け斜視図
【図６】従来の冷蔵庫の斜視図
【図７】従来の冷蔵庫の断面図
【符号の説明】
【００３２】
３０    断熱箱体
３１・３２    レール
３３    固定ローラー
３４    引き出しドア
３５    可動ローラー
３６・３７    フレーム
３８    容器
３９    容器載置部
４０    連結部
４１    固定ローラー転動部
４４    係合部
５０    引き出しドア
５１    容器
５２・５３    固定ローラー転動部
５６    係合部
【図１】
2006242530.tif 000003
【図２】
2006242530.tif 000004
【図３】
2006242530.tif 000005
【図４】
2006242530.tif 000006
【図５】
2006242530.tif 000007
【図６】
2006242530.tif 000008
【図７】
2006242530.tif 000009